(57)【要約】【課題】  防水性を維持したまま簡易的に点検をすることができる照明装置を提供することである。【解決手段】  実施形態の照明装置は、光源と；光源を点灯する点灯回路と；点灯回路を制御する制御回路と；外部から到来する信号を受信する受信部と；制御回路は、受信部が受信した信号に応じて、光源または点灯回路の状態に関する情報を光源を点灯制御することにより外部に報知することを特徴とする。【選択図】図３
2013206853.tif 000002
【特許請求の範囲】
【請求項１】
光源と；
光源を点灯する点灯回路と；
点灯回路を制御する制御回路と；
外部から到来する信号を受信する受信部と；
制御回路は、受信部が受信した信号に応じて、光源または点灯回路の状態に関する情報を光源を点灯制御することにより外部に報知することを特徴とする照明装置。
【請求項２】
光源が設けられる器具本体と、器具本体に設けられるとともに光源から出射される光を透過する透光性部材とを有する灯体と；
点灯回路および制御回路を収納するとともに防水機能を備える電源装置筐体を有する電源装置と；
灯体を支持するとともに電源装置を収納する支持部材と；
を具備し、
受信部は、器具本体および透光性部材により形成される灯体の空間内部に設けられるとともに、外部から到来する信号を透光性部材を介して受信することを特徴とする請求項１記載の照明装置。
【請求項３】
光源と、光源が設けられる器具本体と、器具本体に設けられるとともに光源から出射される光を透過する透光性部材と、器具本体に設けられるとともに外部から到来する信号を透光性部材を介して受信する受信部と、受信部が受信した信号に応じて光源または点灯回路の状態に関する情報を透光性部材を介して外部に送信する送信部とを有する灯体と；
光源を点灯する点灯回路と、点灯回路を制御する制御回路と、点灯回路および制御回路を収納するとともに防水機能を備える電源装置筐体とを有する電源装置と；
灯体を支持するとともに電源装置を収納する支持部材と；
を具備することを特徴とする照明装置。
【発明の詳細な説明】
【技術分野】
【０００１】
本発明の実施形態は、照明装置に関する。
【背景技術】
【０００２】
屋外に設置される照明装置、例えば道路灯において、照明装置に電力を供給する電源装置は、防水性を保つために電源装置の筐体が密閉されている。また、電源装置の筐体が設けられる灯体の支持部材、例えばポール等も防水性を保つために密閉されている。一方、これらの照明装置に対して、光源の点灯時間や照明装置に用いられている部品の寿命を点検したいとの要求がある。
【先行技術文献】
【特許文献】
【０００３】
【特許文献１】特開２０１１−２２８１０２号公報
【特許文献２】特開２０１１−２２８９０７号公報
【特許文献３】特開２０１１−２２８９０８号公報
【発明の概要】
【発明が解決しようとする課題】
【０００４】
しかしながら、従来の照明装置は、電源装置の筐体および支持部材が密閉されているために、点検に際しては電源装置の筐体および支持部材を開けなければならず煩雑な作業を伴っていた。
【０００５】
本発明が解決しようとする課題は、防水性を維持したまま簡易的に点検をすることができる照明装置を提供することである。
【課題を解決するための手段】
【０００６】
実施形態の照明装置は、光源と；光源を点灯する点灯回路と；点灯回路を制御する制御回路と；外部から到来する信号を受信する受信部と；制御回路は、受信部が受信した信号に応じて、光源または点灯回路の状態に関する情報を光源を点灯制御することにより外部に報知することを特徴とする。
【発明の効果】
【０００７】
本発明によれば、防水性を維持したまま簡易的に点検をすることができる
【図面の簡単な説明】
【０００８】
【図１】図１は、実施例１の照明装置の回路構成を示すブロック図である。
【図２】図２は、実施例２の照明装置の回路構成を示すブロック図である。
【図３】図３は、同じく照明装置の全体構成を示す概略図である。
【図４】図４は、実施例３の照明装置の回路構成を示すブロック図である。
【図５】図５は、同じく照明装置の全体構成を示す概略図である。
【発明を実施するための形態】
【０００９】
（第１の実施形態）第１の実施形態の照明装置は、光源と；光源を点灯する点灯回路と；点灯回路を制御する制御回路と；外部から到来する信号を受信する受信部と；制御回路は、受信部が受信した信号に応じて、光源または点灯回路の状態に関する情報を光源を点灯制御することにより外部に報知することを特徴とする。
【００１０】
（第２の実施形態）第２の実施形態の照明装置は、第１の実施形態の照明装置において、光源が設けられる器具本体と、器具本体に設けられるとともに光源から出射される光を透過する透光性部材とを有する灯体と；点灯回路および制御回路を収納するとともに防水機能を備える電源装置筐体を有する電源装置と；灯体を支持するとともに電源装置を収納する支持部材と；を具備し、受信部は、器具本体および透光性部材により形成される灯体の空間内部に設けられるとともに、外部から到来する信号を透光性部材を介して受信することを特徴とする。
【００１１】
（第３の実施形態）第３の実施形態の照明装置は、光源と、光源が設けられる器具本体と、器具本体に設けられるとともに光源から出射される光を透過する透光性部材と、器具本体に設けられるとともに外部から到来する信号を透光性部材を介して受信する受信部と、受信部が受信した信号に応じて光源または点灯回路の状態に関する情報を透光性部材を介して外部に送信する送信部とを有する灯体と；光源を点灯する点灯回路と、点灯回路を制御する制御回路と、点灯回路および制御回路を収納するとともに防水機能を備える電源装置筐体とを有する電源装置と；灯体を支持するとともに電源装置を収納する支持部材と；
を持つ。
【００１２】
以下、実施形態の照明装置を図面を参照して説明する。
【実施例１】
【００１３】
以下、本発明の実施例１について図１を参照して説明する。図１は、実施例１の照明装置１００の回路構成を示すブロック図である。実施例１の照明装置１００の構成を以下に説明する。
【００１４】
実施例１の照明装置１００は、光源１として複数の発光素子１ａを有している。発光素子１ａは、ＬＥＤであり、表面実装型のＬＥＤパッケージである。ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００１５】
なお、光源１を構成する光源は、ＥＬ（有機、無機）などの発光素子であってもよいし、発光素子でなくともよい。例えば、蛍光ランプ、ＨＩＤランプ、電界放出形ランプであってもよい。また、これらのランプと発光素子の組み合わせであってもよい。
【００１６】
光源１には、発光素子１ａを点灯させるための点灯回路２が接続されている。点灯回路２は、図示しない回路基板と、この回路基板に実装されたトランス、コンデンサ等の回路部品とを備えている。点灯回路２には、直流点灯方式を用いることができ、より具体的にはＤＣ−ＤＣコンバータ、例えば一般的な降圧チョッパを定電流制御する回路構成を採用することができる。この回路構成により、回路効率が高くなるとともに、制御が容易になる等の利点がある。
【００１７】
降圧チョッパを定電流制御する回路構成は、出力コンデンサ、インダクタおよびスイッチング素子の直列回路を点灯回路２の出力端間、すなわち光源１に接続して、スイッチング素子のオン時に点灯回路２から直線的に増加する増加電流を流してインダクタに電磁エネルギーを蓄積する。そして、ダイオードおよび出力コンデンサの直列部分をインダクタに並列接続して閉回路を形成し、スイッチング素子のオフ時にこの閉回路に直線的に減少する減少電流をインダクタから流出させる。以上説明したインダクタへの電磁エネルギーの蓄積と流出を繰り返すことで出力コンデンサの両端間に降圧された直流電圧を出力する。降圧チョッパの出力端となる出力コンデンサの両端に光源１が並列に接続される。
【００１８】
点灯回路２は、点灯回路２に接続された制御回路３によって点灯制御される。制御回路３は、図示しない制御用ＩＣ（例えば、ＤＳＰ（Digital Signal Processor）やＭＰＵ（Micro-Processing Unit））を有する。制御用ＩＣは、点灯回路２のスイッチング素子の制御端子（ゲート）に接続される。
【００１９】
点灯回路２は、受信部としての外部電源状態検出部４を介して外部電源に接続される。外部電源状態検出部４は、外部電源が照明装置１００に対して電力を供給することを開始したことを検出する。また、外部電源状態検出部４は、外部電源が照明装置１００に対して電力の供給を停止したことを検出する。さらに、外部電源状態検出部４は、照明装置１００に対する外部電源の電力供給開始と停止の組み合わせを検出することもできる。
【００２０】
電源装置５は、点灯回路２、制御回路３および受信部としての外部電源状態検出部４により構成される。また、照明装置１００は、光源１および電源装置５により構成される。
【００２１】
実施例１の照明装置１００の動作について説明する。
【００２２】
外部電源状態検出部４が検出した外部電源の状態は、検出信号として外部電源状態検出部４から送出され、制御回路３に入力される。制御回路３は、外部電源状態検出部４の検出信号に基づいて点灯回路２を点灯制御する。
【００２３】
照明装置１００においては、発光素子１ａの累積点灯時間が増加するに従って、発光素子１ａの輝度が低下するため、光源１の輝度が累積点灯時間に関わらず一定となるように制御回路３が点灯回路２を制御する。
【００２４】
外部電源状態検出部４は、照明装置１００の電源装置５に対する外部電源による電力供給の開始を検出すると、制御回路３は、外部電源状態検出部４が送出する検出信号に従って、光源１の累積点灯時間が照明装置１００の外部に報知されるように点灯回路２を制御する。点灯回路２は、累積点灯時間を照明装置１００の外部に報知するように、光源１を点灯制御する。
【００２５】
より具体的には、外部電源状態検出部４は、照明装置１００の電源装置５に対する外部電源による電力供給の開始を検出すると、外部電源状態検出部４は検出信号を制御回路３に送出する。制御回路３は、外部電源状態検出部４から検出信号を受信すると、制御回路３に記憶された累積点灯時間に関する情報を読み出し、読み出された累積点灯時間に応じて、光源１が点灯制御されるように点灯回路２を制御する。例えば、累積点灯時間が１万時間の場合は１回光源１が点滅するように制御回路３は点灯回路２を制御する。同様に、累積点灯時間が２万時間の場合は２回光源１が点滅するように制御回路３は点灯回路２を制御する。または、累積点灯時間が１０００時間の場合は光源１が１回点灯するようにし、累積点灯時間が１万時間の場合は光源１が１０回点灯するようにしてもよい。
【００２６】
なお、外部電源状態検出部４が検出するのは、照明装置１００に対する外部電源の電力供給開始と停止の組み合わせでもよく、外部電源状態検出部４が外部電源から特定の信号を検出して、より具体的には、ＰＬＣ（Power Line Communication）により、検出信号を制御回路３に送出してもよい。
【００２７】
また、制御回路３が、外部電源状態検出部４が送出する検出信号に従って、点灯回路２を制御するとともに光源１を点灯制御することにより、照明装置１００の外部に報知する情報は、光源１の累積点灯時間だけでなく、調光度であってもよい。
【００２８】
累積点灯時間の計時は、光源１に電流が流れた状態を制御回路３が検出し、制御回路３がその経過時間を計時することにより行われる。経過時間は、累積点灯時間として制御回路３の図示しない記憶回路に記憶される。
【００２９】
また、累積点灯時間の計時は、光源１から出射される光を検出する図示しない受光部により行われてもよい。光源１の点灯を受光部が検出し、制御回路３がその経過時間を計時することにより行われる。経過時間は、累積点灯時間として制御回路３の図示しない記憶回路に記憶される。
【００３０】
実施例１の照明装置１００の効果について説明する。
【００３１】
実施例１の照明装置１００は、外部電源状態検出部４を持っていることによって、照明装置１００の電源装置５に対する外部電源による電力供給の開始を検出すると、制御回路３に記憶された累積点灯時間に関する情報を読み出し、読み出された累積点灯時間に応じて、光源１が点灯制御されるように点灯回路２を制御することができるので、光源１の発光素子１ａの累積点灯時間を知ることができる。
【００３２】
実施例１の照明装置１００は、外部電源状態検出部４を持っていることによって、照明装置１００の電源装置５に対する外部電源による電力供給の開始を検出すると、制御回路３に記憶された累積点灯時間に関する情報を読み出し、読み出された累積点灯時間に応じて、光源１が点灯制御されるように点灯回路２を制御することができるので、光源１の発光素子１ａの交換時期を知ることができる。
【実施例２】
【００３３】
以下、本発明の実施例２について図２および図３を参照して説明する。図２は、実施例２の照明装置２００の回路構成を示すブロック図である。また、図３は、同じく照明装置２００の全体構成を示す概略図である。実施例２の照明装置２００の構成を以下に説明する。なお、同一部分には同一符号を示し、重複した説明は省略する。
【００３４】
図２を参照して、照明装置２００の回路構成を説明する。照明装置２００は、照明装置１００と異なり、受信部４ａが光源１の近傍に設けられている。受信部４ａは、赤外線や電波等の無線信号を受信することができる素子からなる。また、照明装置２００の電源装置５ａは、照明装置１００の電源装置５とは異なり、外部電源状態検出部４を有さず、点灯回路２および制御回路３により構成されている。
【００３５】
図３を参照して照明装置２００の構造および受信部４ａの配置についてより詳細に説明する。図３は照明装置２００の断面図を模式的に示す概略図である。発光素子１ａおよび受信部４ａは共通の光源基板１６に実装されている。光源基板１６は、器具本体８に図示しない保持部材により器具本体８の内部に設けられている。光源基板１６は、絶縁材であるガラスエポキシ樹脂（ＦＲ−４）の平板からなり、表面側には銅箔によって配線パターンが形成されている。発光素子１ａは、この配線パターンに電気的に接続されるようになっている。また、配線パターンの上、つまり、光源基板１６の表面には反射層として作用する白色のレジスト層が施されている。なお、光源基板１６の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００３６】
光源１の発光素子１ａの光の出射方向には、発光素子１ａから放出される光を透過する透光性部材９が設けられている。器具本体８および透光性部材９により灯体６の筐体が形成され、器具本体８および透光性部材９により形成される空間内部は防水性および気密性を有している。灯体６の筐体が防水性および気密性を有することにより、照明装置２００が屋外に設置される場合、例えば、街路灯や防犯灯等である場合には、灯体６の発光素子１ａおよび受信部４ａを湿気や汚れから守り、発光素子１ａおよび受信部４ａが破損することを抑制することができる。
【００３７】
発光素子１ａは、電源線１４ｂにより電源装置５ａに接続されている。光源１の発光素子１ａは、電源装置５ａの点灯回路２から電源線１４ｂを介して電力供給を受ける。また、受信部４ａは、信号線１５により電源装置５ａに接続されている。受信部４ａにより受信された情報は、信号線１５を介して電源装置５ａの制御回路３に入力される。なお、器具本体８には、電源線１４ｂおよび信号線１５を器具本体８および透光性部材９により形成される空間内部から引き出すための図示しない孔部が設けられている。
【００３８】
電源装置５ａは、灯体６の筐体同様に防水性および気密性を有する電源装置筐体１１に収納されている。電源装置５ａは、電源線１４ａを介して外部電源に接続されるとともに、外部電源より電力供給を受ける。電源装置筐体１１には、電源装置筐体１１の外部に電源線１４ａ、電源線１４ｂおよび信号線１５を引き出すための図示しない孔部が設けられている。
【００３９】
また、照明装置２００は、灯体６を支持するとともに電源装置筐体１１を収納する支持部材１２を有している。支持部材１２は、灯体６の筐体および電源装置筐体１１と同様に防水性および気密性を有する。これにより、電源線１４ｂおよび信号線１５を湿気や汚れから守るとともに、灯体６の筐体と支持部材１２の接続部分、より具体的には器具本体８と支持部材１２の接続部分を支持部材１２の内部の腐食から守ることができる。
【００４０】
実施例２の照明装置２００の動作について説明する。
【００４１】
送信器と受信部４ａとの間は、赤外線や電波、光等の無線通信手段を用いることができる。送信器から送出された所定の信号は、透光性部材９を透過し、灯体６の内部に設けられた受信部４ａによって受信される。
【００４２】
受信部４ａは、送信器から所定の信号を受信すると、検出信号として受信部４ａから送出され、制御回路３に入力される。制御回路３は、受信部４ａの検出信号に基づいて点灯回路２を点灯制御する。例えば、制御回路３は、受信部４ａが送出する検出信号に従って、光源１の累積点灯時間が照明装置２００の外部に報知されるように点灯回路２を制御する。点灯回路２は、累積点灯時間を照明装置２００の外部に報知するように、光源１を点灯制御する。より具体的には、制御回路３は、受信部４ａから検出信号を受信すると、制御回路３に記憶された累積点灯時間に関する情報を読み出し、読み出された累積点灯時間に応じて、光源１が点灯制御されるように点灯回路２を制御する。例えば、累積点灯時間が１万時間の場合は１回光源１が点滅するように制御回路３は点灯回路２を制御する。同様に、累積点灯時間が２万時間の場合は２回光源１が点滅するように制御回路３は点灯回路２を制御する。または、累積点灯時間が１０００時間の場合は光源１が１回点灯するようにし、累積点灯時間が１万時間の場合は光源１が１０回点灯するようにしてもよい。
【００４３】
また、制御回路３が、受信部４ａが送出する検出信号に従って、点灯回路２を制御するとともに光源１を点灯制御することにより、照明装置２００の外部に報知する情報は、光源１の累積点灯時間だけでなく、光源１の調光度であってもよい。
【００４４】
さらに、受信部４ａが送出する検出信号に従って、制御回路３は、内部に記憶した情報、例えば、累積点灯時間や調光度を変更することができるようにしてもよい。内部に記憶した情報が変更されると制御回路３は、変更されたことを照明装置２００の外部に報知するために、点灯回路２を制御し、それにより光源１が点灯制御されてもよい。なお、累積点灯時間の変更は、累積点灯時間のリセット、すなわち計時されていた点灯時間を０にすることも含むものである。
【００４５】
累積点灯時間の計時は、光源１に電流が流れた状態を制御回路３が検出し、制御回路３がその経過時間を計時することにより行われる。経過時間は、累積点灯時間として制御回路３の図示しない記憶回路に記憶される。
【００４６】
また、累積点灯時間の計時は、光源１から出射される光を検出する図示しない受光部により行われてもよい。光源１の点灯を受光部が検出し、制御回路３がその経過時間を計時することにより行われる。経過時間は、累積点灯時間として制御回路３の図示しない記憶回路に記憶される。
【００４７】
実施例２の照明装置２００の効果について説明する。
【００４８】
実施例２の照明装置２００は、受信部４ａを持っていることによって、送信器から所定の信号を受信すると、制御回路３に記憶された累積点灯時間に関する情報を読み出し、読み出された累積点灯時間に応じて、光源１が点灯制御されるように点灯回路２を制御することができるので、電源装置筐体１１および支持部材１２の防水性および気密性を維持したまま、光源１の発光素子１ａの累積点灯時間を知ることができる。
【００４９】
実施例２の照明装置２００は、受信部４ａを持っていることによって、送信器から所定の信号を受信すると、制御回路３に記憶された累積点灯時間に関する情報を読み出し、読み出された累積点灯時間に応じて、光源１が点灯制御されるように点灯回路２を制御することができるので、電源装置筐体１１および支持部材１２の防水性および気密性を維持したまま、光源１の発光素子１ａの交換時期を知ることができる。
【００５０】
実施例２の照明装置２００は、受信部４ａを持っていることによって、送信器から所定の信号を受信すると、制御回路３に記憶された調光度に関する情報を読み出し、読み出された調光度に応じて、光源１が点灯制御されるように点灯回路２を制御することができるので、電源装置筐体１１および支持部材１２の防水性および気密性を維持したまま、光源１の調光度を知ることができる。
【００５１】
実施例２の照明装置２００は、受信部４ａを持っていることによって、送信器から所定の信号を受信すると、制御回路３に記憶された累積点灯時間や調光度等光源１や点灯回路２に関する情報を読み出し、読み出された情報に応じて、光源１が点灯制御されるように点灯回路２を制御することができるので、電源装置筐体１１および支持部材１２の防水性および気密性を維持したまま簡易的に、光源１や点灯回路２に関する情報を知ることができる。また、光源１や点灯回路２に関する情報を得るために必要な時間を短くすることができる。
【００５２】
実施例２の照明装置２００は、受信部４ａが器具本体８と透光性部材９とにより形成される防水性および気密性を有する空間内部、すなわち灯体６の筐体内部に存在し、受信部４ａは透光性部材９を介して送信器から送出される所定の信号を受信するので、器具本体８および透光性部材９に特別な防水性を維持する機構や構造を設けることなく、受信部４ａを灯体６の内部に設けることができる。
【００５３】
実施例２の照明装置２００は、受信部４ａを持っていることによって、制御回路３は、内部に記憶した情報、例えば、累積点灯時間や調光度を変更することができるので、光源１の発光素子１ａを交換することにより、発光素子１ａの特性（電流値）等が変わった場合でも容易に制御回路３に記憶した情報を変更することができる。
【実施例３】
【００５４】
以下、本発明の実施例３について図４および図５を参照して説明する。図４は、実施例３の照明装置３００の回路構成を示すブロック図である。また、図５は、同じく照明装置３００の全体構成を示す概略図である。実施例３の照明装置３００の構成を以下に説明する。なお、同一部分には同一符号を示し、重複した説明は省略する。
【００５５】
図４を参照して、照明装置３００の回路構成を説明する。照明装置３００は、照明装置２００に加えて、送信部７が光源１の近傍に設けられている。送信部７は、赤外線や電波等の無線信号を送信することができる素子からなる。
【００５６】
図５を参照して照明装置３００の構造および送信部７の配置についてより詳細に説明する。図５は照明装置３００の断面図を模式的に示す概略図である。発光素子１ａ、受信部４ａおよび送信部７は共通の光源基板１６に実装されている。
【００５７】
受信部４ａおよび送信部７は、信号線１５により電源装置５ａに接続されている。受信部４ａにより受信された情報は、信号線１５を介して電源装置５ａの制御回路３に入力される。電源装置５ａの制御回路３から送出された信号は、信号線１５を介して送信部７から照明装置３００の外部に送出される。
【００５８】
実施例３の照明装置３００の動作について説明する。
【００５９】
送受信機と受信部４ａおよび送信部７との間は、赤外線や電波、光等の無線通信手段を用いることができる。送受信機から送出された所定の信号は、透光性部材９を透過し、灯体６の内部に設けられた受信部４ａによって受信される。また、灯体６ａの内部に設けられた送信部７から送出された所定の信号は、透光性部材９を透過し、照明装置３００の外部に設けられた送受信機によって受信される。
【００６０】
受信部４ａは、送信器から所定の信号を受信すると、検出信号として受信部４ａから送出され、制御回路３に入力される。制御回路３は、受信部４ａの検出信号に基づいて、所定の信号を送信部７に送出する。送信部７は、制御回路３から送出された所定の信号を送出する。例えば、制御回路３は、受信部４ａが受信した検出信号に従って、光源１の累積点灯時間に基づく情報を送信部７に送出し、送信部７は光源１の累積点灯時間に基づく情報を送出する。
【００６１】
また、制御回路３が、受信部４ａが送出する検出信号に従って、送信部７から送出する情報は、光源１の累積点灯時間だけでなく、光源１の調光度であってもよい。
【００６２】
さらに、受信部４ａが送出する検出信号に従って、制御回路３は、内部に記憶した情報、例えば、累積点灯時間や調光度を変更することができるようにしてもよい。内部に記憶した情報が変更されると制御回路３は、変更されたことを照明装置３００の外部に報知するために、変更されたことに基づく情報が送信部７より送出されてもよい。なお、累積点灯時間の変更は、累積点灯時間のリセット、すなわち計時されていた点灯時間を０にすることも含むものである。
【００６３】
累積点灯時間の計時は、光源１に電流が流れた状態を制御回路３が検出し、制御回路３がその経過時間を計時することにより行われる。経過時間は、累積点灯時間として制御回路３の図示しない記憶回路に記憶される。
【００６４】
また、累積点灯時間の計時は、光源１から出射される光を検出する図示しない受光部により行われてもよい。光源１の点灯を受光部が検出し、制御回路３がその経過時間を計時することにより行われる。経過時間は、累積点灯時間として制御回路３の図示しない記憶回路に記憶される。
【００６５】
実施例３の照明装置３００の効果について説明する。
【００６６】
実施例３の照明装置３００は、受信部４ａおよび送信部７を持っていることによって、送受信機から所定の信号を受信すると、制御回路３に記憶された累積点灯時間や調光度等光源１および点灯回路２に関する情報を読み出し、読み出された情報に応じた信号を送信部７から送出することができるので、電源装置筐体１１および支持部材１２の防水性および気密性を維持したまま、光源１および点灯回路２に関する情報を照明装置３００の外部で送受信機により知ることができる。
【００６７】
実施例３の照明装置３００は、受信部４ａおよび送信部７を持っていることによって、送受信機から所定の信号を受信すると、制御回路３に記憶された累積点灯時間や調光度等光源１および点灯回路２に関する情報を読み出し、読み出された情報に応じた信号を送信部７から送出することができるので、電源装置筐体１１および支持部材１２の防水性および気密性を維持したまま簡易的に、光源１や点灯回路２に関する情報を知ることができる。また、光源１や点灯回路２に関する情報を得るために必要な時間を短くすることができる。
【００６８】
実施例３の照明装置３００は、送信部７が器具本体８と透光性部材９とにより形成される防水性および気密性を有する空間内部、すなわち灯体６ａの筐体内部に存在し、送信部７は透光性部材９を介して送信器から送出される所定の信号を受信するので、器具本体８および透光性部材９に特別な防水性を維持する機構や構造を設けることなく、送信部７を灯体６の内部に設けることができる。
【００６９】
実施例１ないし３の変形例を以下に述べる。
【００７０】
電源装置筐体１１の内部に複数の電源装置５ａが設けられた場合には、それぞれの電源装置５ａに対して重複しない任意の番号を付与し、それぞれの電源装置５ａを区別できるようにする。照明装置が複数ある場合であっても、受信部４ａおよび送信部７が共通であってもよいし、それぞれの電源装置５ａに対して受信部４ａおよび送信部７が設けられてもよい。いずれの場合であっても、送受信機と受信部４ａおよび送信部７との送受信においては、電源装置５ａに付与された任意の番号とともに送受信を行う。送受信の際に送受信する情報に電源装置５ａに付与された任意の番号を付加することで、各々の電源装置５ａと正確に情報を送受信することができる。
【００７１】
また、それぞれの電源装置５ａに対して任意の番号を付与する代わりに、受信部４ａおよび送信部７との情報の送受信を遮断する（無効化する）スイッチを電源装置５ａに設けてもよい。
【００７２】
実施例１ないし実施例３においては、照明装置１００、２００または３００が外部に情報を送信する手段として、光源１または送信部７を用い、外部から情報を受信する手段として、受信部４または４ａを用いたが、照明装置１００、２００または３００に電源装置５または５ａの制御回路３と情報の授受を行う図示しない接続端子を設けてもよい。
【００７３】
照明装置２００または３００においては、電源装置筐体１１に設けられてもよいし、支持部材１２に設けられてもよい。
【００７４】
送受信機を接続端子に接続することで、電源装置５または５ａの制御回路３（または図示しない記憶回路）に記憶された累積点灯時間や調光度等の電源装置５または５ａの制御情報を送受信機と送受信することができる。
【００７５】
送受信機と接続端子とを接続することで、電源装置５または５ａの制御回路３（または図示しない記憶回路）に記憶された電源装置５または５ａの制御プログラムを更新または修正することができる。電源装置５または５ａの制御プログラムに不具合が生じた場合には、制御プログラムを修正することができる。
【００７６】
なお、実施例２および実施例３においては、受信部４ａは、灯体６または灯体６ａの内部に限らず、支持部材１２の表面に外部から到来する信号を受信可能に設けられてもよい。
【００７７】
本発明のいくつかの実施形態を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００７８】
１・・・光源
２・・・点灯回路
３・・・制御回路
４、４ａ・・・受信部
【００７９】
１００、２００、３００・・・照明装置
【図１】
2013206853.tif 000003
【図２】
2013206853.tif 000004
【図３】
2013206853.tif 000005
【図４】
2013206853.tif 000006
【図５】
2013206853.tif 000007